(57)【特許請求の範囲】
【請求項１】
径嵌合して光軸方向に相対移動可能に保持される第一の筒部材及び第二の筒部材と、前記第一の筒部材と前記第二の筒部材の間に狭持され、前記第一の筒部材と前記第二の筒部材の嵌合ガタを軽減するガタ寄せ部材と、を有するレンズ鏡筒において、
前記ガタ寄せ部材は、軸部と、一部が前記軸部より、前記軸部の軸方向に垂直な方向の径が大きい傘部と、を有し、前記軸部が、前記第一の筒部材と前記第二の筒部材のうち、いずれか一方に設けられた貫通穴に貫通して保持されており、
前記傘部は、突起部と、唾部と、前記軸部と前記唾部を繋ぐ繋ぎ部と、を有し、
前記繋ぎ部における前記軸方向の厚さは、前記唾部における前記軸方向の厚さよりも薄く、
前記繋ぎ部は、前記第一の筒部材と前記第二の筒部材のうち、いずれか一方が前記突起部に当接し、他方が前記唾部に当接することで、前記ガタ寄せ部材が前記第一の筒部材と前記第二の筒部材の間に挟持されたときに、前記軸方向に弾性変形することを特徴とするレンズ鏡筒。
【請求項２】
前記ガタ寄せ部材は、前記ガタ寄せ部材の軸部が前記第一の筒部材、及び前記第二の筒部材のいずれか一方に設けられた筒中心方向にあけられた貫通穴に挿入され、少なくとも前記突起部の頂面は、前記ガタ寄せ部材が取り付けられた側の筒部材の構成材料よりも摩擦係数が低い材料からなることを特徴とする請求項１に記載のレンズ鏡筒。
【請求項３】
前記ガタ寄せ部材の軸部の軸径は、軸方向に向かって同径で延伸し、前記ガタ寄せ部材が軸方向に変形した際に、軸部が前記貫通穴にガイドされて移動可能なことを特徴とする請求項２に記載のレンズ鏡筒。
【請求項４】
前記ガタ寄せ部材が取り付けられる前記第一の筒部材、及び前記第二の筒部材のいずれか一方は、筒端部から延伸した複数の凸状部を有し、前記凸状部は２つの筒部材が相対移動する際にも常に他方の筒部材と径嵌合関係にあって、前記ガタ寄せ部材は前記凸状部に組み込まれていることを特徴とする請求項３に記載のレンズ鏡筒。
【請求項５】
前記ガタ寄せ部材が取り付けられる前記第一の筒部材、及び前記第二の筒部材のいずれか一方は、樹脂よりなり、外力を受けた際に前記ガタ寄せ部材とともに、前記凸状部も弾性変形して衝撃吸収することを特徴とする請求項４に記載のレンズ鏡筒。
【請求項６】
請求項１乃至５のいずれか１項のレンズ鏡筒を有していることを特徴とする光学機器。
【請求項７】
径嵌合して光軸方向に相対移動可能に保持される第一の筒部材及び第二の筒部材の間に狭持され、前記第一の筒部材と前記第二の筒部材の嵌合ガタを軽減するガタ寄せ部材であって、
前記ガタ寄せ部材は、軸部と、一部が前記軸部より、前記軸部の軸方向に垂直な方向の径が大きい傘部と、を有し、前記軸部が、前記第一の筒部材と前記第二の筒部材のうち、いずれか一方に設けられた貫通穴に貫通して保持されており、
前記傘部は、突起部と、唾部と、前記軸部と前記唾部を繋ぐ繋ぎ部と、を有し、前記繋ぎ部における前記軸方向の厚さは、前記唾部における前記軸方向の厚さよりも薄く、
前記繋ぎ部は、前記第一の筒部材と前記第二の筒部材のうち、いずれか一方が前記突起部に当接し、他方が前記唾部に当接することで、前記ガタ寄せ部材が前記第一の筒部材と前記第二の筒部材の間に挟持されたときに、前記軸方向に弾性変形することを特徴とするガタ寄せ部材。
【請求項８】
前記ガタ寄せ部材の軸部の軸径は、軸方向に向かって同径で延伸していることを特徴とする請求項７のガタ寄せ部材。
【請求項９】
径嵌合して光軸方向に定位置で光軸回りに相対的に回転可能に保持される第一の筒部材及び第二の筒部材と、前記第一の筒部材と前記第二の筒部材の間に狭持され、前記第一の筒部材と前記第二の筒部材の嵌合ガタを軽減するガタ寄せ部材と、を有するレンズ鏡筒において、
前記ガタ寄せ部材は、軸部と、一部が前記軸部より、前記軸部の軸方向に垂直な方向の径が大きい傘部と、を有し、前記軸部が、前記第一の筒部材と前記第二の筒部材のうち、いずれか一方に設けられた貫通穴に貫通して保持されており、
前記傘部は、突起部と、唾部と、前記軸部と前記唾部を繋ぐ繋ぎ部と、を有し、
前記繋ぎ部における前記軸方向の厚さは、前記唾部における前記軸方向の厚さよりも薄く、
前記繋ぎ部は、前記第一の筒部材と前記第二の筒部材のうち、いずれか一方が前記突起部に当接し、他方が前記唾部に当接することで、前記ガタ寄せ部材が前記第一の筒部材と前記第二の筒部材の間に挟持されたときに、前記軸方向に弾性変形することを特徴とするレンズ鏡筒。
【請求項１０】
前記ガタ寄せ部材は、前記ガタ寄せ部材の軸部が前記第一の筒部材、及び前記第二の筒部材のいずれか一方に設けられた筒中心方向にあけられた貫通穴に挿入され、少なくとも前記突起部の頂面は、前記ガタ寄せ部材が取り付けられた側の筒部材の構成材料よりも摩擦係数が低い材料からなることを特徴とする請求項９に記載のレンズ鏡筒。
【請求項１１】
前記ガタ寄せ部材の軸部の軸径は、軸方向に向かって同径で延伸し、前記ガタ寄せ部材が軸方向に変形した際に、軸部が前記貫通穴にガイドされて移動可能なことを特徴とする請求項１０に記載のレンズ鏡筒。
【請求項１２】
径嵌合して光軸方向に定位置で光軸回りに相対的に回転可能に保持される第一の筒部材及び第二の筒部材の間に狭持され、前記第一の筒部材と前記第二の筒部材の嵌合ガタを軽減するガタ寄せ部材であって、
前記ガタ寄せ部材は、軸部と、一部が前記軸部より、前記軸部の軸方向に垂直な方向の径が大きい傘部と、を有し、前記軸部が、前記第一の筒部材と前記第二の筒部材のうち、いずれか一方に設けられた貫通穴に貫通して保持されており、
前記傘部は、突起部と、唾部と、前記軸部と前記唾部を繋ぐ繋ぎ部と、を有し、前記繋ぎ部における前記軸方向の厚さは、前記唾部における前記軸方向の厚さよりも薄く、
前記繋ぎ部は、前記第一の筒部材と前記第二の筒部材のうち、いずれか一方が前記突起部に当接し、他方が前記唾部に当接することで、前記ガタ寄せ部材が前記第一の筒部材と前記第二の筒部材の間に挟持されたときに、前記軸方向に弾性変形することを特徴とするガタ寄せ部材。
【請求項１３】
前記ガタ寄せ部材の軸部の軸径は、軸方向に向かって同径で延伸していることを特徴とする請求項１２のガタ寄せ部材。
【発明の詳細な説明】
【技術分野】
【０００１】
本発明はレンズ鏡筒及びそれを有する光学機器並びにガタ寄せ部材に関し、例えばレンズ群を保持するレンズ保持部材を嵌合ガタが少なく光軸方向へ移動することができるデジタルカメラやビデオカメラ等に好適なものである。
【背景技術】
【０００２】
デジタルカメラやビデオカメラ等の光学機器に用いられているレンズ鏡筒では、フォーカスやズーミングに際してレンズ群を保持したレンズ保持部材を回転筒の回転によって光軸方向に移動させている。レンズ保持部材を光軸方向へ移動させる際には、撮像素子に対してレンズ群の光軸が倒れたり、芯ズレ（偏心）が起こらないようにして移動させることが光学性能を良好に維持するために重要となる。
【０００３】
光軸方向に移動するレンズ保持部材を有するレンズ鏡筒における駆動機構では、カム溝を有するカム筒と、光軸方向に平行な縦溝を有する案内筒（固定部材）、そしてそれら両方の溝に嵌合するカムフォロワーを用いている。そしてカムフォロワーを支持するレンズ保持部材が、カム筒の光軸周りの回転により案内筒の縦溝に沿って光軸方向へ駆動される。
【０００４】
このとき、案内筒とカム筒との間に径嵌合ガタ、カム筒とレンズ保持部材との間の径嵌合ガタがあると、カム溝、縦溝、カムフォロワーの位置関係が一意に決まらなくなってくる。この結果レンズ保持部材が固定筒に対して倒れたり偏芯したりして、光学性能が劣化してくる。このときの倒れや偏芯の発生原因になる嵌合ガタを低減するために、移動する筒部材に嵌合ガタ寄せ機構を設けたレンズ鏡筒が知られている（特許文献１、２）。
【０００５】
特許文献１のレンズ鏡筒では、同心をなす二つの環状部材の一方に、有底直進溝を形成している。そして他方にこの有底直進溝に摺動可能に係合し、その先端部が常に該有底直進溝の底面に弾性接触して、二つの環状部材間に径方向の力を与える弾性突部材を突設し嵌合ガタを軽減している。
【０００６】
特許文献２の鏡筒装置では、第一のレンズ保持部材、第二のレンズ保持部材が互いに芯合わせされた状態で所定の嵌合ガタを持たせて径嵌合して、嵌合ガタの除去のためにどちらか一方のレンズ保持部材側に弾性部材を設けて嵌合ガタ寄せを行っている。
【先行技術文献】
【特許文献】
【０００７】
【特許文献１】特開２００９−１９８６２５号公報
【特許文献２】特開２００２−０９０６１０号公報
【発明の概要】
【発明が解決しようとする課題】
【０００８】
特許文献１のレンズ鏡筒は、径嵌合する２つの筒状部材間に弾性突部材を有し、弾性突部材に対をなす切れ込みを入れ、弾性突部材が光軸直交方向に変形し易くしている。しかしながら、この構成では弾性突部材が径方向に厚くなってしまうため省スペース化が難しい。また弾性突部材を固定ピンを使って固定する必要があるため構成が複雑になってくる。
【０００９】
また、特許文献２の鏡筒装置は、光軸と直交する垂直方向に押圧力を発生させる弾性部材を周上に設け、摩擦力を加えている。この場合、弾性部材の材料自体の弾力で押圧力を設定している。このため弾性部材に切れ込みなどを入れず、弾性部材の材料自体の弾性係数のみでバネ力を得ようとした場合、所定の押圧力を安定して得ることが難しい。特に、弾性係数を低くすることが難しく、弾性部材の潰し量が少しでも変化してしまうと押圧力が強くも弱くもなってしまう。この結果押圧する力にばらつきが生じると駆動制御性が低下してくる傾向がある。
【００１０】
本発明は、光学機器の姿勢によりレンズ保持部材が倒れたり偏芯するのを軽減するための弾性部材を小スペース化を図りつつ配置し、駆動の際に駆動負荷の増大を軽減することが容易なレンズ鏡筒及びそれを有する光学機器並びにガタ寄せ部材の提供を目的とする。
【課題を解決するための手段】
【００１１】
本発明のレンズ鏡筒は、径嵌合して光軸方向に相対移動可能に保持される第一の筒部材及び第二の筒部材と、前記第一の筒部材と前記第二の筒部材の間に狭持され、前記第一の筒部材と前記第二の筒部材の嵌合ガタを軽減するガタ寄せ部材と、を有するレンズ鏡筒において、前記ガタ寄せ部材は、軸部と、一部が前記軸部より、前記軸部の軸方向に垂直な方向の径が大きい傘部と、を有し、前記軸部が、前記第一の筒部材と前記第二の筒部材のうち、いずれか一方に設けられた貫通穴に貫通して保持されており、前記傘部は、突起部と、唾部と、前記軸部と前記唾部を繋ぐ繋ぎ部と、を有し、前記繋ぎ部における前記軸方向の厚さは、前記唾部における前記軸方向の厚さよりも薄く、前記繋ぎ部は、前記第一の筒部材と前記第二の筒部材のうち、いずれか一方が前記突起部に当接し、他方が前記唾部に当接することで、前記ガタ寄せ部材が前記第一の筒部材と前記第二の筒部材の間に挟持されたときに、前記軸方向に弾性変形することを特徴としている。
また、本発明のレンズ鏡筒は、径嵌合して光軸方向に定位置で光軸回りに相対的に回転可能に保持される第一の筒部材及び第二の筒部材と、前記第一の筒部材と前記第二の筒部材の間に狭持され、前記第一の筒部材と前記第二の筒部材の嵌合ガタを軽減するガタ寄せ部材と、を有するレンズ鏡筒において、前記ガタ寄せ部材は、軸部と、一部が前記軸部より、前記軸部の軸方向に垂直な方向の径が大きい傘部と、を有し、前記軸部が、前記第一の筒部材と前記第二の筒部材のうち、いずれか一方に設けられた貫通穴に貫通して保持されており、前記傘部は、突起部と、唾部と、前記軸部と前記唾部を繋ぐ繋ぎ部と、を有し、前記繋ぎ部における前記軸方向の厚さは、前記唾部における前記軸方向の厚さよりも薄く、前記繋ぎ部は、前記第一の筒部材と前記第二の筒部材のうち、いずれか一方が前記突起部に当接し、他方が前記唾部に当接することで、前記ガタ寄せ部材が前記第一の筒部材と前記第二の筒部材の間に挟持されたときに、前記軸方向に弾性変形することを特徴としている。
【発明の効果】
【００１２】
本発明によれば、光学機器の姿勢によりレンズ保持部材が倒れたり偏芯するのを軽減するための弾性部材を小スペース化を図りつつ配置し、駆動の際に駆動負荷の増大を軽減することが容易なレンズ鏡筒及びそれを有する光学機器が得られる。
【図面の簡単な説明】
【００１３】
【図１】実施例１における交換レンズの主要断面図
【図２】実施例１における交換レンズの分解斜視図
【図３】実施例１における交換レンズに係るガタ寄せ部材
【図４】実施例１における交換レンズに係るガタ寄せ部材の組み込み図
【図５】実施例１における交換レンズに係るガタ寄せ部材の組み込み部の拡大図
【図６】実施例１における交換レンズのガタ寄せ部材の他の態様の説明図
【図７】実施例２における交換レンズの直進筒近傍の説明図
【図８】実施例２における交換レンズのガタ寄せ部材の組み込み図
【図９】実施例２における交換レンズのガタ寄せ部材の組み込み部の拡大図
【図１０】本発明の光学機器の要部概略図
【発明を実施するための形態】
【００１４】
以下に、本発明の実施の形態を添付の図面に基づいて詳細に説明する。本発明のレンズ鏡筒は、径嵌合して光軸方向に定位置で光軸回りに相対的に回転可能に保持される第一の筒部材、第二の筒部材を有する（実施例１）。また、本発明のレンズ鏡筒は、径嵌合して光軸方向に相対移動可能に保持される第一の筒部材、第二の筒部材を有する（実施例２）。ここで第一の筒部材、第二の筒部材はそれぞれ、カム筒１１１と案内筒１１０（実施例１）、又は直進筒１１２とカム筒１１１（実施例２）である。第一の筒部材、第二の筒部材間に狭持され双方の嵌合ガタを軽減するガタ寄せ部材１１９を有する。
【００１５】
ガタ寄せ部材１１９は、軸部１１９Ｃと、一部が軸部より、軸部の軸方向に垂直な方向の径が大きい傘部１１９Ｅ（突起部１１９Ａ、唾部１１９Ｂ）を有している。そしてガタ寄せ部材１１９は、軸部１１９Ｃが第一の筒部材、第二の筒部材のどちらか一方に設けられ、筒中心方向にあけられた貫通穴１１０Ｅに貫通して保持されている。ガタ寄せ部材１１９はガタ寄せ部材が取り付けられた側の筒部材（案内筒１１０、直進筒１１２）の構成材料よりも摩擦係数が低い材料からなる。傘部の、軸部１１９Ｃと唾部１１９Ｂの繋ぎ部２０１の肉厚Ｔ１が、傘部の唾部１１９Ｂの肉厚Ｔ２より肉薄に設定されている。
【００１６】
ガタ寄せ部材１１９の突起部１１９Ａの頂面３０１が第一の筒部材、第二の筒部材のいずれか一方の嵌合面（内周面１１１Ｅ、外周嵌合面１１１Ｆ）に当接したとき繋ぎ部２０１は肉厚方向に弾性変形する（弾性係数の傾きを低く抑え）形状より成っている。特に、ガタ寄せ部材１１９の軸部１１９Ｃの軸径は、軸方向に向かって同径で延伸している。そしてガタ寄せ部材１１９が軸方向に変形した際に、軸部１１９Ｃが貫通穴１１０Ｅにガイドされて移動可能となっている。
【００１７】
［実施例１］
以下、図１，図２を参照して、本発明の実施例１による、レンズ鏡筒について説明する。図１は、本発明の実施例１の交換レンズ（レンズ鏡筒）１００の主要断面図であり、図２は交換レンズ１００の分解斜視図である。交換レンズ１００は、物体側（紙面左側）から順に、第１〜第６群レンズＬ１〜Ｌ６の６群構成のズームレンズを有する。Ｌ１、Ｌ３、Ｌ４はズーム操作環１１３のズーム動作によって光軸方向に移動する第１、第３、第４レンズ群である。Ｌ２、Ｌ５は案内筒１１０に対して固定される固定のレンズ群である。Ｌ６はフォーカス動作によって光軸方向に進退するフォーカスレンズ群である。第１〜第６レンズ群Ｌ１〜Ｌ６は第１レンズ鏡筒１０１、第２レンズ鏡筒１０２、第３レンズ鏡筒１０３、第４レンズ鏡筒１０４、第５レンズ鏡筒１０５、および第６レンズ鏡筒１０６によりそれぞれ保持されている。
【００１８】
交換レンズ１００は、カメラ本体（不図示）に着脱可能に装着するためのマウント１０７を有する。案内筒１１０は、第２レンズ鏡筒１０２、および第５レンズ鏡筒１０５をそれぞれ固定保持している。第２レンズ鏡筒１０２、および第５レンズ鏡筒１０５にはそれぞれカムフォロワーがネジによって取付けられる。これらのカムフォロワーを案内筒１１０に設けた穴に係合することにより、第２レンズ鏡筒１０２、および第５レンズ鏡筒１０５はそれぞれ案内筒１１０に対して光軸方向の定位置にて固定保持されている。
【００１９】
案内筒１１０の外側にはカム筒（回転筒）１１１が配置されている。カム筒１１１は、案内筒１１０の外周に配置されている。カム筒１１１はカム筒１１１に設けた凹溝１１１Ａで案内筒１１０に設けた突起１１０Ｄとバヨネット結合している。それにより、カム筒１１１は案内筒１１０に対して光軸方向に相対移動することなく、光軸回りの回転（定位置回転）のみ可能となっている。
【００２０】
カム筒１１１には、第１カム溝部１１１Ｂ、第２カム溝部１１１Ｃ、および第３カム溝部１１１Ｄが形成されている。第１カム溝部１１１Ｂ、第２カム溝部１１１Ｃ、および第３カム溝部１１１Ｄは第１レンズ鏡筒１０１、第３レンズ鏡筒１０３、および第４レンズ鏡筒１０４をそれぞれズーム動作時に光軸方向に移動させる為のものである。カム筒１１１の外側には第１レンズ鏡筒１０１を保持し、一体的に光軸に直進移動する直進筒１１２が配置されており、さらに直進筒１１２の外周にはズーム操作環１１３が定位置回転可能に配置されている。
【００２１】
直進筒１１２にはカム筒１１１に形成された第１カム溝部１１１Ｂ、および案内筒１１０に光軸方向に延びるように設けられた第１直進溝部１１０Ａに嵌合するカムフォロア１１２Ａがねじにより取り付けられている。ズーム操作環１１３は不図示の周方向の凹溝があり、案内筒１１０の不図示の突起部とバヨネット結合しており、ズーム操作環１１３は、案内筒１１０に対して光軸方向には移動せず（すなわち光軸方向における定位置にて）、光軸回りで定位置回転可能である。ズーム操作環１１３には不図示の回転伝達キーが取り付けられており、回転伝達キーがカム筒１１１の不図示の溝部と係合して、ズーム操作環１１３の回転がカム筒１１１に伝達される。
【００２２】
第３レンズ鏡筒１０３にはカムフォロアがネジにより取り付けられており、カムフォロアがカム筒１１１に形成された第２カム溝部１１１Ｃ、および案内筒１１０に光軸方向に延びるように設けられた第２直進溝部１１０Ｂに嵌合している。第４レンズ鏡筒１０４の外側には第４レンズ鏡筒ベース１１６が配置されている。第４レンズ鏡筒ベース１１６にはカムフォロアがネジにより取り付けられており、カムフォロアがカム筒１１１に形成された第３カム溝部１１１Ｄ、および案内筒１１０に光軸方向に延びるように設けられた第３直進溝部１１０Ｃに嵌合している。
【００２３】
第６レンズ鏡筒１０６の外周にはカムフォロアがネジにより取り付けられている。該カムフォロアは、カム筒１１１に連結され一体になって回転するサブカム筒１１８に設けられたフォーカスカム溝部１１８Ａと、フォーカス回転筒２１９に設けられた第１直進溝部２１９Ｃに係合している。フォーカス回転筒２１９は、フォーカス駆動モータ１Ａの出力軸と連結されており、フォーカス駆動モーター１Ａの回転により第６レンズ鏡筒１０６が駆動される。
【００２４】
以上のように構成されたズームレンズ鏡筒の動作について説明する。まず、ズーム操作環１１３が回転操作されると、カム筒１１１に回転力が伝達されカム筒１１１が光軸周りに定位置回転する。カム筒１１１が回転すると第１〜第３カム溝部１１１Ｂ〜Ｄと第１〜第３直進溝部１１０Ａ〜Ｃにそれぞれ係合するカムフォロアを有する直進筒１１２、第３レンズ鏡筒１０３、および第４レンズ鏡筒１０４は、光軸方向に直進駆動する。これによって交換レンズ１００が保持するズームレンズのズーミング（焦点距離の変更）が行われる。
【００２５】
次に本発明の交換レンズ１００においてカム筒（第１の筒部材）１１１と案内筒（第２の筒部材）１１０との間に設けたガタ寄せ部材によって嵌合ガタを軽減するガタ寄せ構造について説明する。図３（ａ），（ｂ），（ｃ）はガタ寄せ部材１１９の説明図である。図４はガタ寄せ部材１１９が案内筒１１０とカム筒１１１の間に組み込まれた状態の説明図である。図５は図４におけるガタ寄せ部材１１９の設置部の拡大図である。
【００２６】
ガタ寄せ部材１１９は、突起部１１９Ａと唾部１１９Ｂと軸部１１９Ｃ、くびれ部１１９Ｄを有している。突起部１１９Ａと唾部１１９Ｂは傘部１１９Ｅの一部を構成している。突起部１１９Ａは唾部１１９Ｂ上に設けられている。そして、相対移動する第一の筒部材１１１、第二の筒部材１１０の２つの筒部材間に挟持されている。そしてこのうち一方の筒部材１１１の内周面１１１Ｅと接触する突起部１１９Ａの頂面３０１の先端面積は摩擦低減のため、唾部１１９Ｂの投影面積よりも小さく設定されている。軸部１１９Ｃは、唾部１１９Ｂの突起１１９Ａが設けられた面の反対面側に設けられており、軸部１１９Ｃの唾部１１９Ｂとの繋ぎ部２０１にはくびれ部１１９Ｄが設けられている。くびれ部１１９Ｄは唾部１１９Ｂと軸部１１９Ｃの繋ぎ部２０１に設けられ、軸部１１９Ｃの軸方向に窪んだ形状になっている。また、軸部１１９Ｃの直径寸法は唾部１１９Ｂの範囲まで同径に設定されている。
【００２７】
ここで軸部１１９Ｃと唾部１１９Ｂとを繋ぐ繋ぎ部２０１の軸部１１９Ｃの軸方向の厚さＴ１は、傘部１１９Ｅの唾部１１９Ｂの軸方向の厚さＴ２よりも薄い。唾部１１９Ｂの軸方向厚さＴ２とは、繋ぎ部２０１の上面２０４から唾部１１９Ｂの底面２０３までの厚さとする。
【００２８】
案内筒１１０には、外周面にカム筒１１１の内周と径嵌合する嵌合突起（径嵌合突起部）１１０Ｇ、１１０Ｈが設けられている。案内筒１１０の２つの嵌合突起１１０Ｇ、１１０Ｈがカム筒１１１の内周と所定の嵌合ガタを有して案内筒１１０とカム筒１１１の双方の筒部材が径嵌合している。案内筒１１０の嵌合突起１１０Ｇ、１１０Ｈのそれぞれに周方向に１２０°の間隔で３箇所ずつ、ガタ寄せ部材１１９を組み込むための座面１１０Ｄ（６０１〜６０３）と貫通穴１１０Ｅ（７０１〜７０３）が設けられている。
【００２９】
ガタ寄せ部材１１９で片寄せ方向を一方向に限定するために、座面６０１、６０２と筒中心方向にあけられた貫通穴７０１、７０２は同位相に設置する。また、ガタ寄せ部材１１９は、突起部１１９Ａがカム筒１１１の内周面１１１Ｆと接触し、唾部１１９Ｂが案内筒１１０の座面１１０Ｄに収まり、軸部１１９Ｃが案内筒１１０の貫通穴１１０Ｅに嵌る構成となっている。カム筒１１１の凹溝１１１Ａと案内筒１１０の突起１１０Ｄでカム筒１１１を案内筒１１０にバヨネット結合させる。そしてカム筒１１１が案内筒１１０に対して定位置回転可能な状態で、ガタ寄せ部材１１９をカム筒１１１のガタ寄せ部材１１９の挿入穴７０１、７０２から案内筒１１０の座面６０１、６０２に組み込む。
【００３０】
図４、図５に示すように組み込まれたガタ寄せ部材１１９は、案内筒１１０の座面１１０Ｄとカム筒１１１の内周嵌合面１１１Ｆの間に収まり、案内筒１１０とカム筒１１１の嵌合ガタを片寄せしている。ガタ寄せ部材１１９の唾部１１９Ｂの底面２０３から突起部１１９Ａの頂面３０１までの寸法Ｘ１は、案内筒１１０の座面１１０Ｄとカム筒１１１の内周嵌合面１１１Ｆの間隔Ｙ１よりも距離ΔＸ１だけ大きく設定されている。
【００３１】
即ち、
Ｘ１＝Ｙ１＋ΔＸ１
の如く設定されている。そのため、組込み状態では、ガタ寄せ部材１１９は案内筒１１０の中心軸方向に圧縮力が働き、距離ΔＸだけ変形して組まれていることになる。このとき、ガタ寄せ部材１１９にくびれ部１１９Ｄがあるため、繋がり部分１１９Ｂはくびれ部１１９Ｄの形状が弾性変形することで圧縮力を吸収しており、変形時の反発力が過剰に大きくならないようにしてある。また、軸部１１９Ｃの直径寸法（軸径）が軸方向に向かって唾部１１９Ｂの範囲Ｂまで同径に延伸するように設定されている。このため、ガタ寄せ部材１１９が軸方向に荷重を受けて変形した際にも貫通穴１１０Ｅにガイドされて詰まることなく繋ぎ部２０１の弾性変形が容易になる。
【００３２】
尚、ガタ寄せ部材１１９をガタ寄せ部材１１９が設けられた案内筒１１０よりもＰＯＭなどの摩擦係数の低い樹脂で作ると、押圧力が強い場合にもカム筒１１１の回転時に回転力のロスを減らすことができる。これにより、案内筒１１０とカム筒１１１の径嵌合ガタを一定方向に片寄せできる。このため、案内筒１１０の光軸方向の第一の直進筒１１０Ａ、第二の直進筒１１０Ｂ、第三の直進筒１１０Ｃとカム筒１１１の第一カム溝１１１Ｂ、第二カム溝１１１Ｃ、第三カム溝１１１Ｄとの交点位置を安定させることができる。
【００３３】
従って、カメラ（光学機器）を構える姿勢が変化しても、上記溝の交点位置で位置決め保持された第１レンズ鏡筒１０１（直進筒１１２）、第３レンズ鏡筒１０３、第４レンズ鏡筒１０４の倒れ変化を極力抑えることが可能となる。すなわち、光学性能の変化が少ない交換レンズを得ることができる。
【００３４】
図６（ａ）、（ｂ）はガタ寄せ部材１１９の弾性係数を変更する他の手段の説明図である。図６（ａ）は、くびれ部１１９Ｄを軸部１１９Ｃから遠ざかる方向まで大きく設定して弾性係数を調整したものである。また、図６（ｂ）は、ガタ寄せ部材１１９のくびれ部１１９Ｄの深さを大きくし、繋ぎ部２０１の肉厚Ｔ２を薄くして弾性係数を低くしたものである。上記のようにガタ寄せ部材１１９のくびれ部１１９Ｄの形状を変えることで所望の弾性係数を持ったガタ寄せ部材１１９を得ることができる。
【００３５】
ガタ寄せ部材１１９の弾性係数を下げると、案内筒１１０とカム筒１１１の径嵌合ガタが個体毎にばらついてガタ寄せ部材１１９の変形量が変化しても、カム筒１１１の内周を押し付ける力が極端に変化してしまうことを防ぐことができる。またくびれ部１１９Ｄ内にも軸部１１９Ｃの有効範囲が延ばしてあるため、ガタ寄せ部材１１９が案内筒１１０の貫通穴１１０Ｅに沿って（ガイドされて）軸方向のみに変形できるため、安定した反力が得られるという利点がある。また、重量の大きいレンズや小さいレンズを保持する場合など、重さに応じて弾性力を変えることが容易にできる。
【００３６】
ガタ寄せ部材１１９を適用した径嵌合関係にある部材に衝撃がかかった際にも、繋ぎ部１１９Ｂ（くびれ部１１９Ｄ）が衝撃を吸収するためガタ寄せ部材１１９に永久変形が残り難くし、初期のガタ寄せ効果を長期間維持できる効果を有する。また、ガタ寄せ部材１１９の形状によりバネ性を持たせているため、新たにバネなどを追加する場合に比べ、組込み作業性がよい。
【００３７】
［実施例２］
図７は本発明の交換レンズ１００の実施例２の一部分の概略図である。本実施例ではガタ寄せ部材１１９が取り付けられる第一の筒部材、第二の筒部材のどちらか一方（直進筒１１２）は、筒端部から延伸した複数の凸状部１１２Ｂを有している。そして、凸状部１１２Ｂは２つの筒部材（直進筒１１２、カム筒１１１）が相対移動する際にも常に他方の筒部材（カム筒１１１）と径嵌合関係にある。ガタ寄せ部材１１９は凸状部１１２Ｂに組み込まれている。
【００３８】
ガタ寄せ部材１１９が取り付けられる直進筒１１２は樹脂よりなり、外力を受けた際にガタ寄せ部材１１９とともに、凸状部１１２Ｂも弾性変形して衝撃吸収する。そして直進筒１１２とカム筒１１１との間の嵌合ガタを軽減している。ガタ寄せ部材１１９の構成は実施例１と同じである。
【００３９】
図７に示すように直進筒１１２にはマウント側に向かって延伸した３箇所の凸部（凸状部）１１２Ｂ（４０１〜４０３）が設けてある。そして凸部１１２Ｂの内周面にはカムフォロワー取り付け部１１２Ｃ、ガタ寄せ部材１１９を直進筒１１２の内側から挿入する貫通穴１１２Ｅ、座面１１２Ｄが設けられている。ガタ寄せ部材１１９の軸部１１９Ｃを筒中心方向にあけられた貫通穴１１２Ｅに挿入し、唾部１１９Ｂを座面１１２Ｄに突き当たるところまで組み付ける。ガタ寄せ部材１１９の軸部１１９Ｃの軸径に対して、貫通穴１１２Ｅの穴径は僅かに小さく設定されている。そして、接着剤など特別に固定手段を使わなくとも、軸部１１９Ｃを貫通穴１１２Ｅに軽く押し込むのみでガタ寄せ部材１１９は直進筒１１２に位置決め固定される（１２０°間隔で３箇所）。
【００４０】
直進筒１１２はカムフォロワーを使用して案内筒１１０とカム筒１１１に対して位置決めされる。カムフォロワーを直進筒１１２のカムフォロワー取り付け部１１２Ｃに固定する際にはビスが用いられる。案内筒１１０の第一直進溝１１０Ａとカム筒１１１の第一カム溝１１１Ｂの交点位置にカムフォロワーを挿入し（３箇所）、この状態で前述のカム筒１１１の外側に直進筒１１２を挿通させる。直進筒１１２のカムフォロワー取り付け部１１２Ｃ（５０１〜５０３）とカムフォロワーの位置を合わせた後、直進筒１１２の外周側からビスを挿通してカムフォロワーを直進筒１１２にビス固定する。
【００４１】
図８はガタ寄せ部材１１９が直進筒１１２とカム筒１１１の間に組み込まれた状態を示したもの、図９はガタ寄せ部材１１９の構造部の拡大図である。ガタ寄せ部材１１９は、直進筒１１２の座面１１２Ｄとカム筒１１１の外周面（外周嵌合面）１１１Ｆの間に収まり、直進筒１１２とカム筒１１１の径方向をガタ詰めしている。ガタ寄せ部材１１９の唾部１１９Ｂの底面２０３から突起部１１９Ａの頂面３０１までの寸法Ｘ２は、直進筒１１２の座面１１２Ｄとカム筒１１１の外周嵌合面１１１Ｆの間隔Ｙ２よりもΔＸ２だけ大きく（Ｘ２＝Ｙ２＋ΔＸ２の関係）設定されている。
【００４２】
すなわち、組込み状態ではガタ寄せ部材１１９は距離ΔＸ２だけ変形して組まれていることになる。このとき、ガタ寄せ部材１１９にくびれ部１１９Ｄがあるため、繋ぎ部２０１（くびれ部１１９Ｄ）が変形することで圧縮力を吸収しており、変形時の反発力が過剰に大きくならないようにしてある。尚、ガタ寄せ部材１１９をそれが取り付けられた直進筒１１２よりもＰＯＭなどの摩擦係数の低い樹脂で作ると、押圧力が強い場合にもカム筒１１１の回転時に回転力のロスを減らすことができる。
【００４３】
これにより、カム筒１１１の回転により、直進筒１１２（第１レンズ鏡筒１０１）が光軸方向に移動する際に、カム筒１１１の外周面と直進筒１１２に取り付けた３個のガタ寄せ部材１１９の先端が摺接した状態が維持されることになる。従って、第１レンズ鏡筒１０１を保持した直進筒１１２とカム筒１１１との、芯ズレや径ガタが抑制されるので、カメラ（光学機器）を構える姿勢が変化しても、第１レンズ鏡筒１０１が安定して保持される。すなわち、偏芯や倒れが光学性能の劣化に大きく作用するレンズ群の保持を安定して行うことができる。
【００４４】
本実施例では、直進筒１１２のマウント側に向かって延伸した３箇所の凸部１１２Ｂ部にガタ寄せ部材１１９を配置している。これにより、カム筒１１１と直進筒１１２の径嵌合ガタを抑制できるとともに、第１レンズ鏡筒１０１に大きな衝撃が加わった場合には、凸部１１２Ｂが外径方向に変形して衝撃を吸収することができる。従って、直進筒１１２は樹脂（樹脂材料）で構成し、衝撃を受けた際にガタ寄せ部材１１９が潰れて塑性変形を起こすより前に、凸部１１２Ｂが弾性変形するように設定するのが望ましい。
【００４５】
図１０は本発明の光学機器の要部概略図である。図１０において、ＬＫは前述した実施例のレンズ鏡筒であり、撮像光学系Ｌoを有している。ＣＢはカメラ本体である。撮像光学系Ｌoからの光束を上方に反射する。そしてクイックリターンミラーＣＭ、撮像光学系Ｌoの像形成位置に配置された焦点板ＣＰ、焦点板ＣＰに形成された逆像を正立像に変換するペンタダハプリズムＣＰ、その正立像を観察するための接眼レンズＣＳ等によって構成されている。ＣＩは感光面であり、ＣＣＤセンサやＣＭＯＳセンサ等の固体撮像素子（光電変換素子）や銀塩フィルムが配置される。撮影時にはクイックリターンミラーＣＭが光路から退避して感光面ＣＩ上に撮像光学系Ｌoによって像が形成される。
【００４６】
以上のように各実施例によれば移動筒と案内筒の両筒間の嵌合ガタを効果的に片寄せすることができる。また過剰な圧接力が発生するのを抑止することができるため移動筒や回転筒の駆動時の摩擦力を少なくすることができる。このため、アクチュエーターで移動させる場合において制御性や操作性の良いレンズ鏡筒を得ることができる。
【符号の説明】
【００４７】
１１０  案内筒              １１１  カム筒      １１２  直進筒
１１９  ガタ寄せ部材        １１９Ｃ  軸部      １１９Ｅ  傘部
１１９Ａ  突起部            １１９Ｄ  くびれ部    ２０１  繋ぎ部
３０１  頂面
【図１】
0005517687.tif 000002
【図２】
0005517687.tif 000003
【図３】
0005517687.tif 000004
【図４】
0005517687.tif 000005
【図５】
0005517687.tif 000006
【図６】
0005517687.tif 000007
【図７】
0005517687.tif 000008
【図８】
0005517687.tif 000009
【図９】
0005517687.tif 000010
【図１０】
0005517687.tif 000011